(57)【特許請求の範囲】
【請求項１】
キャリヤ干渉多重アクセス（ＣＩＭＡ）通信信号を送信する方法であって、
複数の周波数を有する複数の電磁キャリヤ信号を発生するステップ（１４ｎ）と、
少なくとも１つの情報信号でキャリヤ信号を変調するステップ（１２）とを含み、
前記方法は、キャリヤに少なくとも１つの予め定められた位相空間を与えるステップ（１６ｎ）を特徴とし、各前記位相空間は、キャリヤの重畳から生じて予め定められた時間的な瞬間に集中する複数のパルス波形の１つにデータシンボルをマッピングし、前記パルス波形は時間的に実質的に直交して位置決めされ、前記方法はさらに、
変調されかつ位相がずらされたキャリヤ信号を、複数の多周波キャリヤ信号成分を有する少なくとも１つの送信されるＣＩＭＡ信号を提供するために少なくとも１つの通信チャネルの中に組合わせるステップ（２４）を特徴とする、方法。
【請求項２】
複数の電磁キャリヤ信号を発生するステップ（１４ｎ）は、同一のキャリヤ周波数組を有する複数のキャリヤ群を発生するステップを含み、各群は、複数のユーザのうちのひとりに割当てられ、
キャリヤに少なくとも１つの予め定められた位相空間を与えるステップ（１６ｎ）は、各群のキャリヤに一意の相対位相を与えて各群に一意の時間オフセットを与えるステップを含む、請求項１に記載のキャリヤ干渉多重アクセス（ＣＩＭＡ）通信信号を送信する方法。
【請求項３】
複数の電磁キャリヤ信号を発生するステップ（１４ｎ）は、複数のキャリヤ群を発生するステップを含み、各群は、一意のキャリヤ周波数組を有し、少なくともひとりのユーザに割当てられ、
キャリヤに少なくとも１つの予め定められた位相空間を与えるステップ（１６ｎ）は、複数のユーザの各々が、同じ時間間隔であるが異なったキャリヤ群で信号の強め合う重畳を受けるように、各群に相対位相を与えるステップを含む、請求項１に記載のキャリヤ干渉多重アクセス（ＣＩＭＡ）通信信号を送信する方法。
【請求項４】
複数の電磁キャリヤ信号を発生するステップ（１４ｎ）は、時間についてキャリヤ周波数にばらつきを与えることを特徴とし、各ユーザに対応するキャリヤ群におけるキャリヤごとの周波数のばらつきは実質的に同一である、請求項１に記載のキャリヤ干渉多重アクセス（ＣＩＭＡ）通信信号を送信する方法。
【請求項５】
キャリヤ信号を変調するステップ（１２）は、複数のキャリヤに対して行われるパルス振幅変調を含み、パルス振幅変調は、キャリヤの重畳から生じる強め合う干渉信号よりも長い持続時間を有し、
変調されかつ位相がずらされたキャリヤ信号を少なくとも１つの通信チャネルの中に組合わせるステップ（２４）は、強め合う干渉信号よりも長い持続時間を有する変調されかつ位相がずらされたキャリヤ信号間の干渉信号を発生するステップをもたらす、請求項１に記載のキャリヤ干渉多重アクセス（ＣＩＭＡ）通信信号を送信する方法。
【請求項６】
キャリヤ信号を変調するステップ（１２）は、複数のキャリヤに対して行われるパルス振幅変調を含み、パルス振幅変調は、キャリヤの重畳から生じる強め合う干渉信号よりも短い持続時間を有し、
変調されかつ位相がずらされたキャリヤ信号を少なくとも１つの通信チャネルの中に組合わせるステップ（２４）は、強め合う干渉信号よりも短い持続時間を有する変調されかつ位相がずらされたキャリヤ信号間の干渉信号を発生するステップを特徴とする、請求項１に記載のキャリヤ干渉多重アクセス（ＣＩＭＡ）通信信号を送信する方法。
【請求項７】
キャリヤ信号を変調するステップ（１２）は、キャリヤの位相について少なくとも１つの予め定められた時間間隔において行なわれ、
変調されかつ位相がずらされたキャリヤ信号を組合わせるステップ（２４）は、少なくとも１つのゼロではない位相空間を占め、かつゼロではない位相空間において弱め合うように組合わされる変調されたキャリヤ信号成分を有する信号を発生するステップを特徴とする、請求項１に記載のキャリヤ干渉多重アクセス（ＣＩＭＡ）通信信号を送信する方法。
【請求項８】
複数の電磁キャリヤ信号を発生するステップ（１４ｎ）は、キャリヤに傾斜された周波数対振幅ウィンドウを与えるステップを含む、請求項１に記載のキャリヤ干渉多重アクセス（ＣＩＭＡ）通信信号を送信する方法。
【請求項９】
変調されかつ位相がずらされたキャリヤ信号を組合わせるステップ（２４）は、キャリヤ信号を、導波路と自由空間チャネルとを含む１組の通信チャネルのうちの少なくとも１つの中に結合するステップを含む、請求項１に記載のキャリヤ干渉多重アクセス（ＣＩＭＡ）通信信号を送信する方法。
【請求項１０】
キャリヤに少なくとも１つの予め定められた位相空間を与えるステップ（１６ｎ）は、導波路において予め定められた距離を伝搬した後、分散がキャリヤ位相に予め定められた位相関係を持たせるように、キャリヤ間の相対位相と導波路内のキャリヤの分散プロファイルとを一致させる、請求項１に記載のキャリヤ干渉多重アクセス（ＣＩＭＡ）通信信号を送信する方法。
【請求項１１】
変調されかつ位相が同期されたキャリヤ信号を組合わせるステップ（２４）は、送信機素子のアレイからのキャリヤ信号をチャネルに結合するステップを特徴とする、請求項１に記載のキャリヤ干渉多重アクセス（ＣＩＭＡ）通信信号を送信する方法。
【請求項１２】
特定のユーザに対応付けられた各キャリヤ信号は別個の送信機素子から送信され、それにより送信機素子の各々から送信されたキャリヤ信号の重畳からアレイビームパターンが発生される、請求項１１に記載のキャリヤ干渉多重アクセス（ＣＩＭＡ）通信信号を送信する方法。
【請求項１３】
送信機素子の間の分離は、アレイビームパターンの形およびアレイビームパターンが走査を行なう期間を制御するよう、キャリヤ−周波数分離に対して選択される、請求項１１に記載のキャリヤ干渉多重アクセス（ＣＩＭＡ）通信信号を送信する方法。
【請求項１４】
キャリヤの変調（１２）および位相をずらすステップ（１６ｎ）は、拡張スペクトルコードで変調された時間領域内のパルス列を生じさせる、請求項１に記載のキャリヤ干渉多重アクセス（ＣＩＭＡ）通信信号を送信する方法。
【請求項１５】
拡張スペクトルコードは、情報信号および擬似ランダムＣＤＭＡ拡散コードを含む、請求項１４に記載のキャリヤ干渉多重アクセス（ＣＩＭＡ）通信信号を
送信する方法。
【請求項１６】
キャリヤに少なくとも１つの予め定められた位相空間を与えるステップ（１６ｎ）は、時間的に重なり合う、少なくとも２つの受信される強めあう干渉パルスを生成する、請求項１に記載のキャリヤ干渉多重アクセス（ＣＩＭＡ）通信信号を送信する方法。
【請求項１７】
キャリヤ干渉多重アクセス（ＣＩＭＡ）通信信号を受信する方法であって、
少なくとも１つの通信チャネルから少なくとも１つの送信されたＣＩＭＡ信号を受信して（５２）、複数の受信された多周波キャリヤ信号成分を生成するステップを含み、前記方法は、
キャリヤ信号成分の位相空間を補償するステップ（６０ｎｍ）を含み、各前記位相空間は、キャリヤの重畳から生じて予め定められた時間的な瞬間に集中する複数のパルス波形の１つにマッピングされたデータシンボルに対応し、前記パルス波形は時間的に実質的に直交して位置決めされ、さらに
前記多周波キャリヤ信号成分を同相で組合わせて（６２ｍ）、少なくとも１つの情報信号を表わす少なくとも１つの強め合う干渉信号を発生するステップを含む、方法。
【請求項１８】
キャリヤ信号成分の位相空間を補償するステップ（６０ｎｍ）は、受信されたキャリヤ信号成分の組ごとに少なくとも１組の予め定められた遅延をもたらすステップを含み、前記予め定められた遅延の組の数は、受信されたＣＩＭＡ送信信号が組み合わされる異なった位相空間の数に等しい、請求項１７に記載のキャリヤ干渉多重アクセス（ＣＩＭＡ）通信信号を受信する方法。
【請求項１９】
前記多周波キャリヤ信号成分を組合わせるステップ（６２ｍ）は、多周波キャリヤ信号成分にチャネル補償を行なうステップを含む、請求項１７に記載のキャリヤ干渉多重アクセス（ＣＩＭＡ）通信信号を受信する方法。
【請求項２０】
前記多周波キャリヤ信号成分を同相で組合わせるステップ（６２ｍ）は、干渉する信号が重み付けされて少なくとも１つの意図されるユーザ信号と組み合わされ、マルチユーザ干渉の、意図されるユーザ信号の各々に対する干渉を相殺する、マルチユーザ検出ステップ（６６）を含む、請求項１７に記載のキャリヤ干渉多重アクセス（ＣＩＭＡ）通信信号を受信する方法。
【請求項２１】
前記少なくとも１つの通信チャネルから少なくとも１つの送信されたＣＩＭＡ信号を受信するステップ（５２）は、複数の周波数ホップキャリヤ信号を特徴とする少なくとも１つの送信されたＣＩＭＡ信号を受信するよう適合される、請求項１７に記載のキャリヤ干渉多重アクセス（ＣＩＭＡ）通信信号を受信する方法。
【請求項２２】
電磁波送信機であって、
複数の周波数を有する複数の電磁キャリヤ信号を発生可能なマルチキャリヤ発生器（１４ｎ）と、
少なくとも１つの情報信号でキャリヤ信号を変調可能なキャリヤ変調器（１２）とを含み、
前記方法は、
キャリヤに少なくとも１つの予め定められた位相空間を与えるよう適合される位相空間コントローラ（１６ｎ）を含み、各前記位相空間は、キャリヤの重畳から生じて予め定められた時間的な瞬間に集中する複数のパルス波形の１つにデータシンボルをマッピングし、前記複数のパルス波形は時間的に直交し、さらに
変調されかつ位相が同期されたキャリヤ信号を少なくとも１つの通信チャネルの中に組合わせて、複数のキャリヤ信号成分を有する少なくとも１つのＣＩＭＡ信号を生成可能である出力カプラ（２４）を含む、電磁波送信機。
【請求項２３】
出力カプラ（２４）は送信機素子のアレイを含む、請求項２２に記載の電磁波送信機。
【請求項２４】
各送信機素子は、複数のユーザの各々ごとに別個のキャリヤ信号を送信し、それにより時間依存性ビームパターンをユーザごとに生成するよう適合される、
請求項２３に記載の電磁波送信機。
【請求項２５】
マルチキャリヤ発生器（１４ｎ）を制御してキャリヤの周波数分離を調節し、それにより各ビームパターンの走査速度を制御するための多周波コントローラをさらに特徴とする、請求項２４に記載の電磁波送信機。
【請求項２６】
位相空間コントローラ（１６ｎ）は、周波数において均一に分離されるキャリヤ信号に、複数の増分する位相オフセットを与える、請求項２２に記載の電磁波送信機。
【請求項２７】
位相空間コントローラ（１６ｎ）は、均一であるが隣接しない周波数間隔を有するキャリヤ信号に、複数の増分する位相オフセットを与える、請求項２２に記載の電磁波送信機。
【請求項２８】
傾斜を有する振幅ウィンドウをキャリヤに与えてサイドローブを減じるよう適合される振幅制御システム（１８ｎ）をさらに特徴とする、請求項２２に記載の電磁波送信機。
【請求項２９】
キャリヤ変調器（１２）は、キャリヤ信号にパルス振幅変調を与えるよう適合され、出力カプラ（２４）は、変調されかつ位相が同期されたキャリヤを少なくとも１つの通信チャネルの中に組合わせて少なくとも１つのパルス増幅変調されたＣＩＭＡ信号を生成するよう適合される、請求項２２に記載の電磁波送信機。
【請求項３０】
位相空間コントローラ（１６ｎ）は、キャリヤに増分する位相を与えて、導波路における予め定められた距離で、キャリヤ間の予め定められた位相関係を生じさせるための導波路の色分散プロファイルを一致させるよう適合される、請求項２２に記載の電磁波送信機。
【請求項３１】
位相空間コントローラ（１６ｎ）は、キャリヤに複数の増分する位相を与えてパルス列を発生させるよう適合され、送信機は各キャリヤ信号に予め定められた振幅を与えて拡張スペクトルコードをパルス列上へ変調するための振幅制御システム（１８ｎ）をさらに特徴とする、請求項２２に記載の電磁波送信機。
【請求項３２】
マルチキャリヤ発生器（１４ｎ）は、複数の周波数ホップキャリヤ信号を発生するよう適合される、請求項２２に記載の電磁波送信機。
【請求項３３】
送信されたマルチキャリヤ信号を受信可能な受信素子（５２）を有する電磁波受信機であって、少なくとも１組の受信された多周波キャリヤ信号成分を与えるための通信チャネルから少なくとも１つの位相空間上へ変調された情報を特徴とし、前記方法は、
受信した複数の多周波キャリヤ信号成分を少なくとも１つの位相空間に対して組合わせて、少なくとも１つの強め合う干渉信号を生成することが可能であるコンバイナ（６２ｎｍ）を含み、前記強めあう干渉信号は、少なくとも１組の受信された多周波キャリヤ信号成分の重畳から発生する複数のパルス波形のうちの少なくとも１つに変調された少なくとも１つの情報信号を含み、前記複数のパルス波形は時間的に実質的に直交して位置決めされる、電磁波受信機。
【請求項３４】
少なくとも１つの位相空間に対してキャリヤの位相をずらすよう適合される位相空間補償器（６０ｍｎ）をさらに含み、各前記位相空間は、キャリヤの重畳から生じて予め定められた時間的な瞬間に集中する複数のパルス波形の１つにマッピングされたデータシンボルに対応し、前記パルス波形は時間的に実質的に直交して位置決めされる、請求項３３に記載の電磁波受信機。
【請求項３５】
位相空間補償器（６０ｍｎ）は、周波数がシフトされたフィードバックキャビティを含む、請求項３４に記載の電磁波受信機。
【請求項３６】
位相空間補償器（６０ｍｎ）は、少なくとも１つの予め定められた時間間隔においてサンプリングして、少なくとも１つのゼロ位相空間において少なくとも１つの強め合う干渉信号を検出するよう適合される、請求項３４に記載の電磁波受信機。
【請求項３７】
複数の位相空間において複数のサンプルから少なくとも１つの情報信号を推定するよう適合される信号推定器（６６）をさらに含む、請求項３６に記載の電磁波受信機。
【請求項３８】
意図されるユーザの信号と干渉する１つ以上の干渉するユーザ信号をサンプリングし、サンプリングされた干渉する信号を重みづけし、サンプリングされた干渉する信号を意図されたユーザの信号と組合わせてマルチユーザ干渉を相殺するよう適合される信号推定器（６６）をさらに含む、請求項３３に記載の電磁波受信機。
【請求項３９】
コンバイナ（６２ｍ）は、少なくとも１つのキャリヤ信号成分に利得調節を行なってフラットフェージングを補償するよう適合される、請求項３３に記載の電磁波受信機。
【請求項４０】
受信素子（５２）は、送信されたマルチキャリヤ周波数ホップ信号を受信するよう適合される、請求項３３に記載の電磁波受信機。
【発明の詳細な説明】
【０００１】
【発明の分野】
この発明は、無線通信および導波管通信ならびにレーダのための新規なマルチキャリヤスペクトル拡散プロトコルに関する。
【０００２】
【発明の背景】
マルチパスフェージングは、受信される信号の振幅の変動である。マルチパスフェージングは、異なった時点において受信機に到達する、送信される信号の２または３以上のバージョンの間の干渉によって生じる。この干渉は、地面および近傍の構造物からの反射による。マルチパスフェージングの量は、反射された信号の強度および伝搬時間、ならびに送信された信号の帯域幅に依存する。受信された信号は、異なった振幅、位相および到達角を有する多数の波からなるであろう。これらの成分が、受信機においてベクトル的に組み合わさり、受信される信号をフェージングさせ、または、歪ませる。
【０００３】
フェージングおよび歪みは、受信機および無線環境内の他の物体が移動するに伴って変化する。これらのマルチパス効果は、送信されている信号の帯域幅に依存する。もし、送信される信号が、狭い帯域幅を有するならば（すなわち、送信されるデータビットの持続時間が、マルチパス反射から生じる遅延よりも長ければ）、受信機がマルチパス環境内を移動するに伴って、受信される信号は深いフェージングを示す。これはフラットフェージングとして知られる。深いフェージングを補償するためには、相当の量のパワーコントロール（たとえば、送信パワーおよび／または受信機の利得を増加させること）が必要とされる。加えて、受信されるデータビットの持続時間の間に無線環境の特性に著しい変化が生じると、低データ速度信号が歪む。受信機または近傍の物体の移動の結果、送信信号の帯域幅に匹敵するかまたはそれよりも大きな、受信される信号のドップラー周波数シフトが生じるとき、歪みが起こる。
【０００４】
マルチパス環境において送信される広帯域信号では、周波数選択性のフェージングが生じる。受信機がマルチパス環境内を移動するに伴っての、受信される信号の全体としての強度の変動は比較的小さい。しかし、受信される信号は、特定の周波数において深いフェージングをする。もし、データビットの持続時間がマルチパス遅延よりも短ければ、受信される信号は、受信機に到達した、より前のビットの遅延された複写によるシンボル間干渉を経験する。
【０００５】
周波数分割多重アクセス方式（ＦＤＭＡ）は、典型的にはフラットフェージングを受け、他方、直交周波数分割多重（ＯＦＤＭ）などのマルチキャリヤプロトコルは、周波数選択性のフェージングを受ける。ＣＤＭＡは、典型的には、両方を受ける。しかし、直接シーケンスコーディングは、マルチパスの影響を、コードのチップ速度未満の遅延に制限する。さらに、ＣＤＭＡの能力は、マルチユーザ干渉によって制限される。改良されたＣＤＭＡシステムは、能力を上げるために干渉相殺を使用する。しかし、必要となる信号処理作業は、帯域幅の少なくとも三乗に比例する。さらに、ＣＤＭＡは、遠近干渉を受けやすく、その長い擬似ノイズ（ＰＮ）コードは、長い獲得時間を要する。これらの理由から、ＯＦＤＭがＣＤＭＡと合体された。
【０００６】
ＯＦＤＭは、高い分光効率を有し（サブキャリヤの分光が重なり合い）、周波数選択性のフェージングに抗する。しかし、各キャリヤの振幅はレイリーの法則に影響されるため、フラットフェージングが起こる。したがって、フェージングを補償するために、適切な検出アルゴリズムとチャネルコーディングでの良好なチャネル評価が不可欠である。ＯＦＤＭの周波数ダイバーシチの性能は、（レイク（Rake）受信機を必要とする）最適ＣＤＭＡシステムのマルチパスダイバーシチの性能に匹敵する。ダイバーシチはＯＦＤＭに固有なので、最適ＣＤＭＡシステムにおけるよりも達成がはるかに容易である。ＯＦＤＭシステムは、より低速の並列型信号処理から利益を得る。最適なＣＤＭＡシステム内のレイク受信機は、高速直列型の信号処理を使用し、その結果、電力消費が増加する。さらに、ＯＦＤＭ技術は、チャネル評価の問題を簡素化することで、受信機の設計を簡素化する。
【０００７】
マルチキャリヤＣＤＭＡにおいては、拡散シーケンスは、直列から並列に変換される。シーケンス内の各チップは、異なったキャリヤ周波数を変調する。したがって、得られる信号は、周波数領域においてＰＮコード構造を有し、処理利得は、キャリヤの数に等しい。マルチトーンＣＤＭＡにおいては、利用可能な分光は、狭帯域直接シーケンス波形を送信するため使用されるいくつかの等幅周波数帯域に分割される。
【０００８】
周波数ホッピング拡散スペクトルは、遠近干渉にも同様に対処できる。最大の利点は、分光の部分を回避できることである。これによって、システムがよりよく干渉および周波数選択性のフェージングを回避できる。不利な点は、複雑な周波数シンセサイザおよびエラー補正が必要なことを含む。
【０００９】
時間ホッピングは、直接シーケンスおよび周波数ホッピングに比べはるかに高い帯域幅効率を有する。その実現は比較的簡単である。しかし、獲得時間が長く、エラー補正が必要である。
【００１０】
通信プロトコルそれぞれは、異なった利点および不利な点を示す。異なったプロトコルを合わせることで利点を増すことができるが、限られた程度までである。すべての問題またはほとんどの問題、特にフェージングに関連する問題を解決するプロトコルが必要とされている。
【００１１】
【発明の概要】
この発明の主たる目的は、これまでに述べたプロトコルの利点を組み合わせた利点を達成するプロトコルを提供することである。他の目的は、特に移動通信用に設計された拡散スペクトルプロトコルを提供することである。これらの目的は、マルチプルキャリヤの干渉分光法（interferometry）により達成される。この発明により可能となるプロトコルは、キャリヤ干渉多重アクセス（ＣＩＭＡ）である。ＣＩＭＡにおいては、信号の重畳によって特定の時間間隔でパルス（キャリヤ間のゼロ位相関係から生じる強め合う干渉）が得られるように、各キャリヤの周波数および位相が選択される。得られる信号は、振幅がパルスの振幅よりもはるかに小さいサイドローブを有する。したがって、時間領域において直交性が達成される。
【００１２】
時間間隔の中に、重畳すると無視できる信号レベルになる、キャリヤが存在するので、パルスは異なった位相空間に存在すると結論できる。この位相空間は、キャリヤ間の時間（位相）オフセットと定義される。オフセットは、パルスが特定の時間間隔で観察されることを可能にする。マルチプル位相（multiple phase spaces）空間に合せられた受信機は、ＣＩＭＡ信号の多数のサンプルを発生できる。したがって、ＣＩＭＡは、信号が低データ速度信号および高データ速度信号として同時に処理されることを可能にする。これは、両方の種類の信号に固有のマルチパスの問題を緩和し、システムが実質的により低い信号パワーレベルで機能することを可能にする。さらに、もし、ＣＩＭＡキャリヤが、重畳によってゼロ位相空間のパルスが生じないよう、位相−振幅変調されるなら、ＣＩＭＡ信号は、ゼロではない位相空間に合わされたＣＩＭＡ受信機にしか見えない。従来の無線受信機はこれらの信号を検出できない。
【００１３】
光ファイバーなどの分散性媒体では、ＣＩＭＡ送信の位相空間は、媒体の予め定められた長さに沿って色分散に一致するよう選択されるであろう。分散の効果は、キャリヤの位相が整列し、媒体の中の予め定められた位置でパルスが生じることである。
【００１４】
ＣＩＭＡ位相空間の時間依存性の性質は、さらに、アンテナアレイのビームパターンの自動走査を可能にする。もし、アンテナアレイの各素子がＣＩＭＡキャリヤを送信すると、アレイのビームパターンは、キャリヤの周波数間隔およびアンテナ素子の間の分離に依存する期間にわたり走査される。
【００１５】
ＣＩＭＡは、前に述べたいずれのプロトコルを作り出すために使用されてもよい。この発明の目的は、ＣＩＭＡ信号を送信および受信するための方法および装置を提供することである。そのために、以下の目的が達成される。
【００１６】
この発明の目的は、マルチパスフェージングおよび干渉の影響を減じることである。この目的の結果、必要とされる送信パワーが減じる。
【００１７】
他の目的は、ほとんど検出が不可能であるため妨害が難しい送信を作り出すことによって安全な通信を提供することである。キャリヤの低パワー要件およびキャリヤのゼロではない位相空間での送信によってこの目的が達成される。
【００１８】
この発明の他の目的は、他のシステムへの干渉を減じ、すべての種類の無線干渉への通信システムの弱さを最少にすることである。
【００１９】
この発明の他の目的は、通信システムが複数のユーザに使用されるとき生じる同一チャネル干渉を最少化し補償することである。
【００２０】
他の目的は、適応アンテナアレイと両立可能であるだけでなく、アンテナアレイ技術の実質的な進歩を可能にする拡散スペクトル通信プロトコルを提供することである。
【００２１】
他の目的は、資源制限型のシステムの性能の利点と、干渉制限型のシステムの能力の利点および劣化が少ないという利点と、両方のシステムの利点を同時に提供する能力とを有する拡散スペクトル通信システムを可能にすることである。この発明のさらなる目的および利点は、好ましい実施例の説明においてより明らかとなるであろう。
【００２２】
【好ましい実施例の説明】
図１は、単一のユーザｋに対するベースバンド情報信号を伝送のためのＣＩＭＡ信号に変換する、ＣＩＭＡ送信機の流れ図である。異なるキャリヤ周波数を有するＮ個のＣＩＭＡキャリヤを、入力データソース１２から受信したデータが変調する。この変調は複数のキャリヤミクサ１４ｎにおいて起こる。この場合、ＣＩＭＡ信号の周波数の間隔はシフト周波数ｆsによって増分的に増加する。しかし、特定の利益を得るために不均一な周波数間隔が用いられることもある。この特定の利益については米国特許出願連続番号第０９／０２２，９５０号に記載されており、それをここに引用により援用する。典型的には、キャリヤ周波数は互いに直交するように選ばれる。
【００２３】
【数１】
0004222728.tif 000002
【００２４】
ここでＴcはチップ持続時間であり、ωiおよびωjはｉthおよびｊthキャリヤ周波数であり、φiおよびφjは任意位相である。ｊth周波数帯における信号は、ｉth周波数帯において干渉を起こさない。しかし、送信された信号の資源が制限されているとき、波形が直交する必要はない。
【００２５】
各々のＣＩＭＡ信号の位相は、予め定められた受信機の時間間隔と、ＣＩＭＡ受信機によって受信されたＣＩＭＡ信号が強め合うように組合される位相空間とによって定められる。増分位相オフセット
【００２６】
【数２】
0004222728.tif 000003
【００２７】
は、Ｎ複数個のユーザ間隔遅延システム１６ｎの１つによって各々のＣＩＭＡキャリヤに適用される。各々のＣＩＭＡキャリヤの有する利得は、振幅制御システム１８ｎによって調整される。振幅制御１８ｎは、ＣＩＭＡ信号に利得プロファイルを与える。このプロファイルは、周波数領域に関し傾斜を有する振幅ウィンドウと、通信チャネル中のＣＩＭＡキャリヤのフラットフェージングに対する補償と、ＣＩＭＡキャリヤのパルス振幅変調（各々のキャリヤに対して予め定められた受信機の時間間隔付近の時間領域に対するキャリヤの存在を制限する）とを含んでもよい。利得調整ＣＩＭＡ信号は、組合わせシステム２０によって合計される。ＣＩＭＡ信号を適切な送信周波数に変換するために周波数コンバータ２２が用いられてもよく、その送信周波数は出力カプラ２４に伝えられる。
【００２８】
出力カプラ２４は、ＣＩＭＡ送信信号を通信チャネルに結合するあらゆる装置であり、その通信チャネルからＣＩＭＡ信号が受信機に受信される。無線通信の場合には、出力カプラ２４は１つまたはそれ以上のアンテナ素子（図示せず）を含んでもよい。光通信の場合には、出力カプラ２４はレンズであってもよく、または光を光ファイバに結合する簡単な結合素子であってもよい。この図ではＣＩＭＡ送信信号の生成をステップバイステップ手順として例示しているが、これらのプロセスを果たすための好ましい実施例は、離散的フーリエ変換などのデジタル信号処理技術を用いることである。
【００２９】
これらのプロセスの順番のいくつかが入替わってもよい。たとえば、入力データによる各ＣＩＭＡキャリヤの変調を、組合わせ前の最後のステップとしてもよい。図２は、ＣＩＭＡ信号を生成させるための流れ図を示す。これらのプロセスの各々は、図１に示すプロセスに類似のものである。これらの図が異なるのは、図２においてはＣＩＭＡ信号は通信チャネルに送信されるまで組合わされないという点である。このことは図３に例示する。
【００３０】
図３はデータソース１２からのデータストリームを示したものであり、これは複数のミクサ２５ｎにおいて複数のＣＩＭＡキャリヤを変調するために用いられる。特定の周波数、位相関係および利得プロファイルを有するＣＩＭＡキャリヤが、各ミクサ２５ｎに入力される。データソース１２からの各ビットがすべてのＣＩＭＡキャリヤを変調する。各ミクサ２５ｎは、複数のアンテナアレイ素子２４ｎの１つに接続されている。したがって、各アンテナ素子２４ｎは１個のＣＩＭＡキャリヤのみを送信する。複数のキャリヤに同じビットが変調されるため、ＣＩＭＡキャリヤの集合はデータ冗長性を有するが、キャリヤ間の周波数および位相の関係は時間における直交性をもたらす（周波数領域中のＣＩＭＡキャリヤの逆フーリエ変換によって例示される）。この直交性は、データ冗長性によりもたらされる典型的な帯域幅効率の減少を打消し、周波数ダイバーシチの利益を保持する。この直交性は、ＣＩＭＡキャリヤ間の強め合うような干渉および弱め合うような干渉の結果である。強め合うような干渉によって、キャリヤ周波数間隔ｆsの逆数に比例する繰返し速度を有する狭い時間領域パルスが生成する。
【００３１】
図４は、特定の時間においてＣＩＭＡキャリヤの同位相波面が整列する様子を例示したものである。別の時間にはキャリヤは弱め合うように組合わされ、その結果信号レベルは検出できなくなる。複合信号１３０はキャリヤを合計した結果である。複合信号１３０は、予め定められた時間間隔１３５において起こるパルスエンベロープを示す。傾斜を有する振幅がなく（すなわち方形のウィンドウ）、かつＣＩＭＡキャリヤの周波数間隔が均一であるとき、複合ＣＩＭＡ信号は以下の式で示される。
【００３２】
【数３】
0004222728.tif 000004
【００３３】
また、その絶対値は以下の通りである。
【００３４】
【数４】
0004222728.tif 000005
【００３５】
ＣＩＭＡ信号は周期的であり、その周期は奇数個のキャリヤＮに対しては１／ｆs、偶数個のキャリヤＮに対しては２／ｆsである。メインローブの持続時間は２／Ｎｆsであり、各々のＮ−２サイドローブの持続時間は１／Ｎｆsである。メインローブの振幅に対するｌthサイドローブの振幅は以下の式で示される。
【００３６】
【数５】
0004222728.tif 000006
【００３７】
パルスエンベロープの周期および幅はＣＩＭＡキャリヤの振幅、位相および周波数分離に依存するため、振幅、位相および周波数分離が保存される限り、各キャリヤの周波数はパルスエンベロープに影響を与えることなく変更することができる。したがって、キャリヤの周波数ホッピングおよび周波数シフトは、複合信号１３０の時間的特徴に影響しない。ＣＩＭＡキャリヤに傾斜を有する振幅を分配すると、メインローブの幅が広がり、サイドローブの振幅が減少する。
【００３８】
図５Ａは、図４に示すキャリヤの位相空間を例示したものである。時間が進行するにつれ、ＣＩＭＡキャリヤ間の位相関係が変化する。直線１１３は、キャリヤ間のゼロ位相関係を示す。キャリヤの合計は特定の位相空間中に示される。すべてのキャリヤ間にゼロ位相関係があるときにパルスが起こるが、パルスが見られない他の時間領域にもキャリヤは存在し得る。パルスが（時間の周期的関数として）この位相空間に入ると、パルスは視覚化する。ゼロ位相はすべての従来型受信機が動作する位相空間である。この位相空間は、固定点１１２のまわりを回るあらゆる直線に沿ったキャリヤ振幅の合計によって例示される。線１１３が回転する際の線に沿った波の振幅の合計を図５Ｂに示し、またその極性グラフを図６に例示する。
【００３９】
図５Ａにおいて、曲線１１１はパルスが観察され得る多くの位相空間の１つを例示する。この位相空間１１１は、線１１５および１１７によって区切られた時間間隔において起こる。この時間間隔においては、複合信号１３０の振幅（図５Ｂに示す）は無視できる。しかし、キャリヤを合計する前に、受信機は予め定められた量だけ受信した各キャリヤを選択的に遅延することによって特定の位相空間に合せてもよい。このようにすると、受信機はゼロ位相において視覚化できないパルスをも検出できる。
【００４０】
図７に、複数の位相空間においてサンプリングが可能なシングルユーザ位相空間受信機を示す。受信されたＣＩＭＡ信号は受信素子５２によって通信チャネルから検出され、周波数フィルタ５６によってＮ個の成分キャリヤに分離される前にミクサ５４によってダウンコンバートされる。送信信号が通信チャネルによってどのように変えられたかに従って、複数の利得補償器（図示せず）の１つが各成分ｎに利得補償を行なってもよい。続いて利得補償された各成分はＭ個の遅延成分に分けられ、その各々は位相空間遅延補償器６０ｍｎによって遅延される。ｍ個の遅延成分の各々の出力を組合わせステップ６２において合計し、他の位相空間において観察されたパルスを再構成する。元の送信信号の概算値を出力する決定ステップ６６においてパルスを合計する前に、各パルスを遅延ステップ６４ｍにおいて遅らせ、パルスを同期させてもよい。実際には、遅延ステップ６４ｍは決定ステップ６６に集積されてもよい。
【００４１】
この受信機は異なる位相空間を通じてパルスを追跡するため、パルスの複数のサンプルを得る。したがって、受信機はパルスを作り出すために組合わされるＣＩＭＡキャリヤの比較的遅いデータ速度（すなわちパルス周期）からの利益を受ける。これは、シンボル間干渉のマルチパス問題を軽減する。各々のパルスの持続時間が短いため、受信機はゆっくり変化する信号を受信するシステムに固有のフェージングおよび歪みの問題、ならびに狭帯域信号に関連付けられるフラットフェージングを避けることができる。パルスは多くの狭帯域ＣＩＭＡキャリヤを含むが、ＣＩＭＡパルスは多数のＣＩＭＡキャリヤ間の干渉パターンに依存するため、（非常に深いフェージングを起す）フラットフェージングを避けられる。さらに、ＣＩＭＡキャリヤの数および間隔を適切に選択すれば、１つ以上のＣＩＭＡキャリヤが深いフェージング中に位置することはないと考えられる。したがって、周波数ダイバーシチが達成される。
【００４２】
各ユーザｋは、他のユーザと同じキャリヤを用いる一方で、位相オフセット（すなわちタイミングオフセット）を一意に選択して通信資源を共有できる。各々のユーザｋがＮ個の直交するキャリヤを共有するとき、Ｎユーザは同一チャネル干渉なしにその資源を用いることができる。この場合、各ユーザｋに対して時間に関する位相空間の一意の組合せが存在する。同様に、異なるＣＩＭＡキャリヤを用いるユーザは、同一チャネル干渉なしに時間に関する同じ位相空間を用いることができる。パルスの特性はＣＩＭＡキャリヤ間の周波数および位相の関係に依存するため、ＣＩＭＡキャリヤ間のこれらの関係が変化しない限り、パルスエンベロープの特性を変えることなく各々のＣＩＭＡ信号の周波数および位相を変えることができる。このため、送信機は周波数をホッピングすることによって干渉を避けるか、または機密性を上げることができる。
【００４３】
各ユーザに対するＣＩＭＡキャリヤの分離ｆsは、図８に示すようにコヒーレンス帯域幅（すなわちマルチパス持続時間の逆数）を上回るように選択してもよい。その結果、各キャリヤに周波数非選択フェージングが起こる。隣り合うＣＩＭＡキャリヤの周波数が５０％重なるとき、そのシステム能力は、重なりのないキャリヤによる従来の制限を上回り、２倍に増加する。このようなシステムは、各キャリヤに独立したチャネルフェージング特性を有しない。しかし、ＣＩＭＡキャリヤの周波数が隣り合う必要はない。各ユーザｋに対するキャリヤ分離ｆsがコヒーレンス帯域幅を上回るような各々のユーザの組に対してキャリヤ周波数の部分集合を用いることによって、このシステムはＮ倍の周波数ダイバーシチ利得を得ることができる。たとえば、図８に示す周波数プロファイルにおいて、特定のユーザのグループに対して１組の隣り合わないキャリヤ周波数４２、４３および４４が選ばれてもよい。この周波数プロファイルにより、時間オフセットおよび周波数分割多重の双方が帯域幅効率を最適化できる。各キャリヤの帯域幅がキャリヤ分離ｆsに比べて小さいとき、広帯域受信機によるＣＩＭＡ信号の許可されない妨害はさらに難しくなる。受信機が受信する背景ノイズ量は、受信機の帯域幅に依存する。ＣＩＭＡ受信機は、信号対ノイズ比（ＳＮＲ）が比較的高い予め定められた狭帯域においてＣＩＭＡキャリヤを受信するように合せてもよい。しかし、広帯域受信機はＣＩＭＡキャリヤ間の分光中のノイズ成分を受信するため、ＳＮＲが低くなる。
【００４４】
ユーザの数ｋがＣＩＭＡキャリヤの数Ｎを上回るとき、各ユーザｋのタイミングオフセットを選択することによって、パルス間の平均二乗相互相関を最小化するようにＣＩＭＡパルスを位置付けることができる。また、ユーザ信号を各々のユーザの通信チャネルのタイプおよび優先度に対して位置付けてもよい。このことによって、特定のユーザまたは伝送タイプに対するサービスの品質が確実となる。またこのことによって、ユーザ数が資源の制限されたシステムの従来の制限以下であるとき、資源の制限されたシステムの品質が与えられ、また従来の制限を需要が上回るときに干渉の制限された動作が与えられる。
【００４５】
図７において受信機はシングルユーザ受信機として示されるが、動作の好ましいモードはマルチユーザ検出である。各ユーザがノイズを他のすべてのユーザの通信チャネルに寄与する直接シーケンスＣＤＭＡとは異なり、ＣＩＭＡは時間領域の近くにあるユーザ信号（パルス）へのマルチユーザ干渉を制限する。動作の好ましいモードにおいては、受信機は隣り合うユーザ信号を２つの隣接するユーザ時間間隔という少ない間隔でサンプリングする。続いて重み付けを行ない、決定ステップ６６において合計することによって、意図するユーザの信号に対するそれらの寄与がなくなる。
【００４６】
送信機７０のアンテナ素子２４ｎ（図３参照）の分離ｄによって、ＣＩＭＡ信号の時間依存性位相空間特性のため、アレイ２４ｎが生成するビームパターンの方位角が変化する。言換えると、ＣＩＭＡ信号の位相空間が時間とともに変化するため、アレイ２４ｎのビームパターンが走査する。ビームパターンの指向性の時間依存性は、以下のビームパターン方程式により示される。
【００４７】
【数６】
0004222728.tif 000007
【００４８】
ここでａnは各ＣＩＭＡキャリヤの振幅であり、ωo＋ｎωsはｎthＣＩＭＡキャリヤのラジアル周波数であり、λnはＣＩＭＡキャリヤの波長であり、θは方位角であり、ｄはアレイ素子２４ｎの分離である。このＣＩＭＡビームパターンの特性は、ＣＩＭＡのダイバーシチ利益をさらに促進し得る。送信アンテナのビームパターンを変えることによってダイバーシチ受信が高められることが先行技術において示されている。ｄ＝λ0／２および時間ｔの増加する値に対するビームパターン方程式Ｄ（ｔ）のグラフを図９Ａから図９Ｌに示す。分離ｄに対する値が異なると、メインローブの数および走査速度が変化する。周波数分離ｆsを調整することにより指向性Ｄ（ｔ）が変化する。
【００４９】
図１０に、ＣＩＭＡ信号を生成するために用い得る、周波数シフトされたフィードバックキャビティ（ＦＳＦＣ）７０を示す。ベース周波数発生器７２が光ベース周波数ｆ0信号を生成し、そこから周波数シフトされた信号が作られる。ベース周波数信号は、周波数シフタ７６を含む進行波キャビティ７４に入力される。周波数シフタ７６は音響光学変調器（ＡＯＭ）であってもよい。光がキャビティ７４中を循環するとき、その周波数は周波数シフタ７６を通過するたびにｆsずつシフトする。進行波キャビティ７４は周波数を選択的に減衰させることはない。むしろ、その支援する発振はモード構造を有さない非常に広い分光出力を有するという特徴を持つ。光の一部分がキャビティからマルチキャリヤプロセッサ７８に出力される。たとえば、ＡＯＭ（図示せず）はそれを通過する光を回折する。その後光はキャビティ７４中にフィードバックされる。回折されなかったビームの部分は都合のよい出力を与える。プロセッサ７８の出力は、たとえばアンテナ、集束素子、または光ファイバへのコネクタなどの出力カプラ（図示せず）に送られる。
【００５０】
出力ビームは増分的に遅延され、周波数シフトされた光の複数のビームからなる。各出力ビーム成分から受けた遅延量は、その成分の周波数によって識別される。キャビティ７４が光に相当量の色分散を起させないとき、出力成分から受ける遅延量は、ビームが受けた周波数シフト量に実質的に比例する。マルチキャリヤプロセッサ７８は、出力成分を波長デマルチプレクスするための回折光を含んでもよい。ベース周波数発生器７２が情報信号とともに光ベース信号を変調するとき、マルチキャリヤプロセッサ７８の出力は複数の遅延された（および分離された）変調信号を含む。各々の遅延された変調信号は、図３に示す各アンテナアレイ素子２４ｎから出された送信信号を変調するために用いられてもよい。各アレイ素子２４ｎが同じ周波数分布を有する送信信号を出すとき、アレイ２４ｎにより生成されるビームパターンの指向性は時間により変化しない。その指向性は、単に進行波キャビティ７４の長さを変えることにより調整できる。
【００５１】
ＦＳＦＣ７０はまた、ゼロでない位相空間において受信したＣＩＭＡ信号をサンプリングするための受信機として用いてもよい。このためには、周波数シフタ７６による周波数シフトｆsを、受信したＣＩＭＡ信号の周波数分離と一致させることが必要である。ＦＳＦＣ７０からの光出力は波長によって分離され、受信したＣＩＭＡ信号の異なる位相空間サンプルが識別される。キャビティ７４が色分散を引き起さないとき、これらの位相空間は実質的に線形である。ｆO＞＞Ｎ*ｆsとすれば、線形位相空間サンプリングは受信信号の位相空間と一致する。
【００５２】
図１０に示されるＦＳＦＣ７０は、生成されたＣＩＭＡ信号を光ファイバまたは導波管を通じて伝送するために用いてもよい。この動作モードにおいて、周波数発生器７２は変調されていない光ベース信号を生成する。進行波キャビティ７４の出力はＣＩＭＡキャリヤの同一線上の重畳であり、簡単に光ファイバに結合される。したがって、マルチキャリヤプロセッサ７８は成分を分離しない。マルチキャリヤプロセッサ７８は、時間領域中に予め定められた持続時間を有する情報信号でＣＩＭＡ信号を変調する。情報信号のタイミングおよび持続時間を選択することにより、ファイバ中を伝搬する際のＣＩＭＡキャリヤの色分散を補償できる。
【００５３】
光ファイバ中の色分散は、波長の異なる光が異なる速度で進むために起こる。異なる波長の光に対する光ファイバの屈折率は異なる。光ファイバ中の光の速度は、屈折率に反比例する。材料分散において、長い波長の光は、より短い波長の光よりも速く進む。このため、光ファイバを通じて送信される光パルスに歪み（広がり）が生じる。
【００５４】
図４に、ＣＩＭＡ信号が分散しない媒質中を伝搬する際のＣＩＭＡキャリヤ間の位相関係を示す。ＣＩＭＡキャリヤが空間を伝搬するとき、キャリヤ間の周期的関係以外の位相関係は変化しないため、ＣＩＭＡパルスは歪まない。たとえば、キャリヤと同じ速度で移動する受信機は、キャリヤの相対位相の変化を検出しない。これを他の方法で説明すると、パルス周期の整数倍の間隔をおいて固定した２つの受信機は、ＣＩＭＡキャリヤ間の同じ位相関係を検出する。しかし分散性媒質においては、いくつかのキャリヤが同相でさらに進むため、２つの固定検出器は異なる位相関係を検出する。隣り合うＣＩＭＡキャリヤ間の波長の差は以下の方程式で示される。
【００５５】
【数７】
0004222728.tif 000008
【００５６】
この関係は非線形的であり、隣り合うＣＩＭＡキャリヤ間の波長の差Δλは、各々のキャリヤの波長が増加するにつれて増加する。図４の、キャリヤ最大値の位相プロファイル１２３はこれを例示するものである。周波数分離ｆsを光ファイバ１５０の分散特性に関して選択し、キャリヤの速度プロファイルをその位相プロファイルと一致させる。次にキャリヤの一部分を選択し、強め合うように組合せることによって、ファイバ１５０に沿って予め定められた場所にＣＩＭＡパルスが生成する。
【００５７】
ＣＩＭＡキャリヤは、位相プロファイル１２３が起こる時間間隔１３３において変調されたパルス振幅である。この時間間隔１３３においては、キャリヤの合計による複合信号１３０は無視できる。キャリヤがファイバ１５０中を伝搬するにつれてキャリヤの相対位相が変化する。より遅い時間間隔１３５の間、特定の時間１２５においてキャリヤ信号位相が整列し、その結果強め合うような干渉が起こって複合信号１３０中にパルスを起こす。より遅い時間間隔１２７および１２９においては、低波長キャリヤが少し遠くまで進んでおり、その結果歪んだ位相プロファイル１３７および１３９がそれぞれ生じる。これらの時間間隔における複合信号１３０はゼロに戻る。
【００５８】
図１１に、分散性光ファイバ１５０に沿った複数の複合ＣＩＭＡ信号を示す。３つの信号１６０、１７０および１８０が、ファイバ１５０の一方端に入力される。第１の信号１６０の位相プロファイルは、ＣＩＭＡキャリヤが強め合うように組合せられて第１のノード１５１にパルス１６１を生成するように選択される。第１のＣＩＭＡキャリヤ１６０は弱め合うように組合わされて、第２のノード１５２および第３のノード１５３に、それぞれ低レベル信号１６２および１６３を生成する。同様に、第２の信号１７０のキャリヤ位相を選択することによって、第２のノード１５２において強め合うように干渉する信号１７２を生成させる。同様に、第３の信号１８０のキャリヤ位相を選択することによって、第３のノード１５３において強め合うような干渉１８３を与える。光ファイバ中で光の非線形分散を用いることにより、光ファイバの使用可能帯域幅を従来の制限を超えて拡張することも可能であろう。
【００５９】
図１２Ａに、２０のＣＩＭＡキャリヤに対する振幅分布を示す。これらのキャリヤは図１２Ｂに示される複合信号を生成し、この複合信号は正および負のＣＩＭＡパルスの擬似ランダムシーケンスからなる。したがって、周波数領域中のキャリヤ振幅の特定の分布は、時間領域において周期的な直接シーケンスＣＤＭＡコードをもたらす。ＣＤＭＡシステムの基礎としてＣＩＭＡ信号を用いるとき、このＣＤＭＡシステムは、マルチパスおよびシンボル間干渉の減少、能力の増加、ならびに同一チャネル干渉の減少という利点を得る。ＣＩＭＡ信号はサイン関数であるため高い自己相関効率を有する。同期が失われると、自己相関機能は速やかに低下する。
【００６０】
好ましい実施例は、ＣＩＭＡ信号を生成してそれを受信するための多くの方法のうちのいくつかを示す。これはＣＩＭＡの特性への基本的な理解を与えるために行なわれた。この理解に関して、この発明の多くの局面が多様化し得る。たとえば、ＣＩＭＡ信号を生成して処理するために用いられる方法などがそうである。このような修正はこの発明の範囲内であり、この発明の本質は開発された特定の設計よりも達成された設計認識および発見の方により基本的に存在することが理解されるべきである。
【００６１】
前述の考察および請求項は、この発明の好ましい実施例を説明したものである。特に請求項に関しては、この発明の本質から逸脱することなく変更が加えられ得ることが理解されるべきである。したがって、そうした変更はなおこの発明の範囲内に含まれると考えられる。このような補正がこの発明の本質を用いたものである限り、その各々は当然この特許により含まれる保護の範囲内にある。この発明の基本的概念および理解はこの上なく基本的なものであり、広く応用可能であるため、このことは特にこの発明に関し真実である。
【図面の簡単な説明】
【図１】  ＣＩＭＡ信号を生成する送信機の概略図である。
【図２】  ＣＩＭＡ信号を生成する送信機の第２の実施例を示す図である。
【図３】  アンテナアレイから送られるＣＩＭＡキャリヤを生成する送信機の概略図である。
【図４】  複数のＣＩＭＡキャリヤおよびキャリヤの重畳のグラフを示す図である。
【図５Ａ】  ８個のＣＩＭＡキャリヤについて、時間の関数としてキャリヤ間の相対位相を示し、相対位相によって表される位相空間を例示したグラフを示す図である。
【図５Ｂ】  図５Ａに示すキャリヤ信号の重畳の時間領域グラフを示す図である。
【図６】  図５Ａに示すキャリヤの重畳の時間における極性グラフを示す図である。
【図７】  ＣＩＭＡ信号を受信し、複数の位相空間において信号をサンプリングする受信機に対する流れ図である。
【図８】  一群のＣＩＭＡキャリヤの周波数プロファイルの一部を示す図である。
【図９Ａ】  図３の送信機によって生成されたビームパターンを示す図である。
【図９Ｂ】  図３の送信機によって異なる時間に生成されたビームパターンを示す図である。
【図９Ｃ】  図３の送信機によって異なる時間に生成されたビームパターンを示す図である。
【図９Ｄ】  図３の送信機によって異なる時間に生成されたビームパターンを示す図である。
【図９Ｅ】  図３の送信機によって異なる時間に生成されたビームパターンを示す図である。
【図９Ｆ】  図３の送信機によって異なる時間に生成されたビームパターンを示す図である。
【図９Ｇ】  図３の送信機によって異なる時間に生成されたビームパターンを示す図である。
【図９Ｈ】  図３の送信機によって異なる時間に生成されたビームパターンを示す図である。
【図９Ｉ】  図３の送信機によって異なる時間に生成されたビームパターンを示す図である。
【図９Ｊ】  図３の送信機によって異なる時間に生成されたビームパターンを示す図である。
【図９Ｋ】  図３の送信機によって異なる時間に生成されたビームパターンを示す図である。
【図９Ｌ】  図３の送信機によって異なる時間に生成されたビームパターンを示す図である。
【図１０】  進行波キャビティおよび周波数シフト装置を含み、光信号がその中を循環する、周波数シフトしたフィードバックキャビティを示す図である。
【図１１】  キャリヤの位相オフセットを光ファイバの色分散特性と一致させている光ファイバを伝搬する際の、異なるＣＩＭＡ信号を示す図である。
【図１２Ａ】  時間領域中に直接シーケンスＣＤＭＡチップシーケンスを生成するＣＩＭＡキャリヤの、相対周波数対振幅プロファイルのグラフを示す図である。
【図１２Ｂ】  図１２Ａに示すＣＩＭＡキャリヤによって生成する直接シーケンスＣＤＭＡ信号の時間領域を表わす図である。
【図１】
0004222728.tif 000009
【図２】
0004222728.tif 000010
【図３】
0004222728.tif 000011
【図４】
0004222728.tif 000012
【図５Ａ】
0004222728.tif 000013
【図５Ｂ】
0004222728.tif 000014
【図６】
0004222728.tif 000015
【図７】
0004222728.tif 000016
【図８】
0004222728.tif 000017
【図９Ａ】
0004222728.tif 000018
【図９Ｂ】
0004222728.tif 000019
【図９Ｃ】
0004222728.tif 000020
【図９Ｄ】
0004222728.tif 000021
【図９Ｅ】
0004222728.tif 000022
【図９Ｆ】
0004222728.tif 000023
【図９Ｇ】
0004222728.tif 000024
【図９Ｈ】
0004222728.tif 000025
【図９Ｉ】
0004222728.tif 000026
【図９Ｊ】
0004222728.tif 000027
【図９Ｋ】
0004222728.tif 000028
【図９Ｌ】
0004222728.tif 000029
【図１０】
0004222728.tif 000030
【図１１】
0004222728.tif 000031
【図１２Ａ】
0004222728.tif 000032
【図１２Ｂ】
0004222728.tif 000033